(57)【要約】【課題】筐体のコンパクト化（表示スペースの減少）と視認性の向上という二律相反する課題を解決することが要望されている。【解決手段】制御対象の制御または監視に関する情報を表示する制御装置が提供される。制御装置は、制御対象の制御または監視に関する第１の情報を示す第１の数値、および、制御対象の制御または監視に関する第２の情報を示す第２の数値を表示可能な表示部と、表示部での表示を制御する制御部とを含む。制御部は、第１の期間において、第２の数値を非表示の状態で第１の数値を第１の表示態様で表示させるとともに、第２の期間において、第１の数値を非表示の状態で第２の数値を第２の表示態様で表示させる。【選択図】図３
2016170657.tif 000002
【特許請求の範囲】
【請求項１】
制御対象の制御または監視に関する情報を表示する制御装置であって、
前記制御対象の制御または監視に関する第１の情報を示す第１の数値、および、前記制御対象の制御または監視に関する第２の情報を示す第２の数値を表示可能な表示部と、
前記表示部での表示を制御する制御部とを備え、
前記制御部は、第１の期間において、前記第２の数値を非表示の状態で前記第１の数値を第１の表示態様で表示させるとともに、第２の期間において、前記第１の数値を非表示の状態で前記第２の数値を第２の表示態様で表示させる、制御装置。
【請求項２】
前記制御部は、前記第１の数値を第１の表示色で表示させ、前記第２の数値を第２の表示色で表示させる、請求項１に記載の制御装置。
【請求項３】
前記制御部は、前記第１の数値とともに前記第１の数値の意味を示す第１の識別情報を表示させ、前記第２の数値とともに前記第２の数値の意味を示す第２の識別情報を表示させる、請求項１または２に記載の制御装置。
【請求項４】
前記第１の期間における前記第１の数値および前記第１の識別情報の前記表示部内での表示位置は、前記第２の期間における前記第２の数値および前記第２の識別情報の前記表示部内での表示位置とは異なる、請求項３に記載の制御装置。
【請求項５】
前記第１の期間において表示される前記第１の数値と前記第１の識別情報との位置関係は、前記第２の期間において表示される前記第２の数値と前記第２の識別情報との位置関係とは異なる、請求項３に記載の制御装置。
【請求項６】
前記制御部は、前記第１の期間において表示される第１の数値、および、前記第２の期間において表示される第２の数値を、前記第１および第２の数値を並べて前記表示部に表示する場合に比較してより大きなサイズで表示させる、請求項１〜５のいずれか１項に記載の制御装置。
【請求項７】
前記第１の期間は、前記第２の期間に比較して長い、請求項１〜６のいずれか１項に記載の制御装置。
【発明の詳細な説明】
【技術分野】
【０００１】
本発明は、制御対象の制御または監視に関する情報を表示する制御装置に関する。
【背景技術】
【０００２】
今般の生産現場では、様々な制御装置が導入されて自動化が図られている。このような制御装置の一例として、ＰＩＤ（Proportional Integral Derivative）制御に従って温度などを調整するデジタル調節計などが知られている（特開２０１１−１９１１３９号公報（特許文献１）など参照）。その他にも、制御対象の状態値を取得するとともに、その取得した状態値が予め定められた正常値の範囲から外れた場合に、アラームを報知する警報器などもある。
【先行技術文献】
【特許文献】
【０００３】
【特許文献１】特開２０１１−１９１１３９号公報
【発明の概要】
【発明が解決しようとする課題】
【０００４】
設置スペースなどの制約から、デジタル調節計や警報器に対する筐体のコンパクト化が要望される一方で、視認性の向上も要望されている。筐体がコンパクト化することで、表示スペースが必然的に減少し、視認性を維持することが難しくなりつつある。すなわち、表示スペースの減少に伴って、表示に用いられる文字を小さくせざるを得ない。そのため、デジタル調節計や警報器に近寄らないと、その表示内容を確認できないような場合が発生し、オペレーションの効率性を低下させる要因になり得る。
【０００５】
このように、筐体のコンパクト化（表示スペースの減少）と視認性の向上という二律相反する課題を解決することが要望されている。
【課題を解決するための手段】
【０００６】
本発明のある局面に係る制御装置は、制御対象の制御または監視に関する情報を表示する。制御装置は、制御対象の制御または監視に関する第１の情報を示す第１の数値、および、制御対象の制御または監視に関する第２の情報を示す第２の数値を表示可能な表示部と、表示部での表示を制御する制御部とを含む。制御部は、第１の期間において、第２の数値を非表示の状態で第１の数値を第１の表示態様で表示させるとともに、第２の期間において、第１の数値を非表示の状態で第２の数値を第２の表示態様で表示させる。
【０００７】
好ましくは、制御部は、第１の数値を第１の表示色で表示させ、第２の数値を第２の表示色で表示させる。
【０００８】
好ましくは、制御部は、第１の数値とともに第１の数値の意味を示す第１の識別情報を表示させ、第２の数値とともに第２の数値の意味を示す第２の識別情報を表示させる。
【０００９】
さらに好ましくは、第１の期間における第１の数値および第１の識別情報の表示部内での表示位置は、第２の期間における第２の数値および第２の識別情報の表示部内での表示位置とは異なる。
【００１０】
さらに好ましくは、第１の期間において表示される第１の数値と第１の識別情報との位置関係は、第２の期間において表示される第２の数値と第２の識別情報との位置関係とは異なる。
【００１１】
好ましくは、制御部は、第１の期間において表示される第１の数値、および、第２の期間において表示される第２の数値を、第１および第２の数値を並べて表示部に表示する場合に比較してより大きなサイズで表示させる。
【００１２】
好ましくは、第１の期間は、第２の期間に比較して長い。
【発明の効果】
【００１３】
本実施の形態に係る制御装置によれば、筐体のコンパクト化（表示スペースの減少）と視認性の向上という二律相反する課題を解決できる。
【図面の簡単な説明】
【００１４】
【図１】本発明の関連技術に係るデジタル調節計の一例を示す模式図である。
【図２】本実施の形態に係るデジタル調節計の装置構成を示す模式図である。
【図３】本実施の形態に係るデジタル調節計の表示処理を説明するための図である。
【図４】本実施の形態に係るデジタル調節計の別の表示処理を説明するための図である。
【図５】本実施の形態に係るデジタル調節計のさらに別の表示処理を説明するための図である。
【図６】本実施の形態に係るデジタル調節計のさらに別の表示処理を説明するための図である。
【図７】本実施の形態に係るデジタル調節計における情報の表示周期の一例を説明するための図である。
【図８】本実施の形態に係るデジタル調節計における処理手順を示すフローチャートである。
【発明を実施するための形態】
【００１５】
本発明の実施の形態について、図面を参照しながら詳細に説明する。なお、図中の同一または相当部分については、同一符号を付してその説明は繰返さない。
【００１６】
以下の説明では、制御対象の制御または監視に関する情報を表示する制御装置の一例として、デジタル調節計について例示するが、警報器についても同様に適用できる。ここで、デジタル調節計は、制御対象から制御量を取得するとともに、その取得した制御量が予め設定された目標値と一致するように、制御対象に与える操作量を調整する。一方、警報器は、制御対象から制御量を取得するとともに、その取得した制御量を表示する。併せて、警報器は、取得した制御量が予め設定された範囲内にあるか否か、上限値・下限値に到達しているか否かなどを表示または報知する。すなわち、本発明に係る制御装置は、制御対象の制御または監視に関する情報を表示する機能を有していれば、どのような装置として実装されていてもよい。
【００１７】
＜Ａ．関連技術および課題＞
一般的なデジタル調節計は、制御対象に設けられた検出部（例えば、温度センサなど）によって検出された制御量（例えば、温度）を取得し、その値（ＰＶ：Process Value）を表示するとともに、予め設定された目標値（ＳＶ：Set Value）との差分を算出し、その差分に応じた操作量（ＭＶ：Manipulated Variable）を制御対象へ出力する。
【００１８】
図１は、本発明の関連技術に係るデジタル調節計の一例を示す模式図である。図１を参照して、デジタル調節計１０は、その表面に表示部１２０および操作部１２２が設けられており、オペレータは、表示部１２０に表示される情報を確認しつつ、操作部１２２を介して必要な操作を行なう。通常、表示部１２０には、制御量ＰＶを示す数値１２および目標値ＳＶを示す数値１４が表示される。
【００１９】
図１に示すデジタル調節計１０では、表示部１２０は比較的広い範囲を占めているが、デジタル調節計１０がコンパクト化されているため、情報を表示できる表示スペースはそれほど大きくない。そこで、本実施の形態に係る制御装置は、上述のような課題を考慮してなされたものであり、十分な表示スペースを確保することが難しい場合であっても、視認性を維持して、操作性を向上させる構成を実現することを目的とする。
【００２０】
＜Ｂ．装置構成＞
次に、本実施の形態に係るデジタル調節計１０の装置構成について説明する。図２は、本実施の形態に係るデジタル調節計１０の装置構成を示す模式図である。図２を参照して、デジタル調節計１０は、入力回路１１０と、アナログ・デジタル変換部１１２（以下、「Ａ／Ｄ変換部１１２」とも記す。）と、表示部１２０と、操作部１２２と、通信インターフェイス１２４と、制御部１００と、デジタル・アナログ変換部１１４（以下、「Ｄ／Ａ変換部１１４」とも記す。）と、出力回路１１６とを含む。
【００２１】
入力回路１１０は、検出部からの検出信号を受信し、予め定められた範囲の電圧／電流信号を出力する。例えば、検出部が熱電対である場合には、入力回路１１０は、その両端に発生する熱起電力を検出する回路を含む。あるいは、検出部が抵抗測温体である場合には、入力回路１１０は、当該抵抗測温体に生じる抵抗値を検出する回路を含む。さらに、入力回路１１０は、高周波成分を除去するためのフィルタ回路を含んでいてもよい。
【００２２】
Ａ／Ｄ変換部１１２は、入力回路１１０からのアナログ信号をデジタル信号へ変換し、制御部１００へ出力する。
【００２３】
操作部１２２は、図１に示す操作パネルに設けられたボタンやスイッチなどを含み、オペレータの操作を受け付け、その受け付けた操作を示す情報を制御部１００へ出力する。典型的には、操作部１２２は、オペレータから目標値ＳＶを受け付ける。
【００２４】
通信インターフェイス１２４は、外部の装置（典型的には、ＰＬＣ（Programmable Logic Controller））との間で各種情報を遣り取りする。システム構成例として、上位に配置されたＰＬＣからデジタル調節計１０に対して目標値が入力される場合があり、このような場合に、ＰＬＣからの情報（例えば、ＳＶ）は通信インターフェイス１２４を介して、制御部１００へ入力される。
【００２５】
表示部１２０は、図１に示す操作パネルに設けられたディスプレイやインジケータなどを含み、制御対象の制御または監視に関する情報を示す数値を表示する。より具体的には、表示部１２０は、制御対象の制御または監視に関する複数の情報（ＰＶ，ＳＶ，ＭＶ）を示すそれぞれの数値を表示可能になっている。表示部１２０は、液晶表示パネルや有機ＥＬ（Electro Luminescence）表示パネル、あるいは、７セグメント方式の液晶とＬＥＤ（Light Emitting Diode）との組み合わせで構成されてもよい。
【００２６】
制御部１００は、ＰＩＤ制御に係る処理に加えて、表示部１２０における表示に係る処理を実現するための演算主体であり、プロセッサ１０２と、メモリ１０４と、プログラムモジュール１０６とを含む。すなわち、制御部１００は、表示部１２０での表示を制御する。
【００２７】
プロセッサ１０２は、プログラムモジュール１０６を実行することで、後述するような処理を実現する。この際、読み出されたプログラムモジュール１０６および処理に必要なデータ（ＰＶおよびＳＶなど）は、メモリ１０４に一次的に格納される。プロセッサ１０２としては、汎用のＣＰＵ（Central Processing Unit）やＭＰＵ（Micro-Processing Unit）を用いてもよいし、デジタル信号処理に向けられたＤＳＰ（Digital Signal Processor）を用いてもよい。プログラムモジュール１０６は、フラッシュメモリなどの不揮発性記憶媒体に格納される。プログラムモジュール１０６については、各種の記録媒体を介して、アップデータできるように構成されてよい。そのため、プログラムモジュール１０６自体も本発明の技術的範囲に含まれ得る。制御部１００については、ＦＰＧＡ（Field-Programmable Gate Array）を用いて構成してもよい。ＦＰＧＡを採用する場合には、プログラムモジュール１０６を保持しないようにしてもよい。
【００２８】
Ｄ／Ａ変換部１１４は、制御部１００で算出された操作量を示すデジタル信号をアナログ信号に変換し、出力回路１１６へ出力する。
【００２９】
出力回路１１６は、Ｄ／Ａ変換部１１４からのアナログ信号を制御対象に応じた信号に成形して出力する。例えば、操作量の０〜１００［％］が０〜１０［Ｖ］の電圧信号に対応する場合には、出力回路１１６は、この電圧範囲の信号が出力されるように調整する。あるいは、出力回路１１６は、操作量の値に応じたデューティー比を有するＰＷＭ信号を発生する。
【００３０】
＜Ｃ．表示処理＞
図３は、本実施の形態に係るデジタル調節計１０の表示処理を説明するための図である。本実施の形態に係るデジタル調節計１０は、図３（Ａ）に示すように、本発明の関連技術に係るデジタル調節計と同様の表示を行なうようにしてもよい。すなわち、表示部１２０には、制御量ＰＶを示す数値１２および目標値ＳＶを示す数値１４が並べて表示される。
【００３１】
それに加えて、デジタル調節計１０は、図３（Ｂ）に示すように、制御量ＰＶを示す数値２２および目標値ＳＶを示す数値２４を表示部１２０に交互に表示することもできる。例えば、ある期間Ｔ１に亘って数値２２が表示され、続く期間Ｔ２に亘って数値２４が表示され、この期間Ｔ１および期間Ｔ２の表示処理が繰返される。
【００３２】
各期間において、表示される数値がどの値を意味するのかを一見して把握できるように、それぞれの数値の表示態様を異ならせることが好ましい。一例として、数値２２と数値２４とは互いに異なる表示色で表示される。例えば、数値２２は白色で表示され、数値２４は緑色で表示される。表示色を異ならせる場合には、任意の表示色の組み合わせを採用することができるが、視認性が相対的に高い色が好ましい。さらに、異なる表示態様として、表示色を異ならせるだけではなく、例えば、一方を常時表示させ、他方を点滅させるといった方法を採用してもよいし、あるいは、表示に用いるフォントを互いに異ならせるようにしてもよい。
【００３３】
このように、デジタル調節計１０の表示部１２０では、制御対象の制御または監視に関する制御量ＰＶの情報を示す数値２２、および、制御対象の制御または監視に関する目標値ＳＶの情報を示す数値２４が表示可能になっている。そして、デジタル調節計１０の制御部１００（図２）は、期間Ｔ１において、数値２４を非表示の状態で数値２２を白色（第１の表示態様）で表示させるとともに、期間Ｔ２において、数値２２を非表示の状態で数値２４を緑色（第２の表示態様）で表示させる。すなわち、デジタル調節計１０の制御部１００（図２）は、数値２２を第１の表示色で表示させ、数値２４を第２の表示色で表示させる。
【００３４】
図３（Ｂ）において表示される数値２２および２４は、図３（Ａ）において表示される数値１２および１４に比較して、文字サイズがより大きくなっている。すなわち、制御対象の制御または監視に関する複数の数値を交互に表示することで、より大きな文字サイズで情報を提示できる。このように、デジタル調節計１０の制御部１００（図２）は、期間Ｔ１において表示される数値２２、および、期間Ｔ２において表示される数値２４を、数値２２および２４を並べて表示部１２０に表示する場合に比較してより大きなサイズで表示させることができる。複数の情報を示す数値を交互表示することで、複数の情報を同時に表示する場合に比較して、より大きな文字で表示することができる。
【００３５】
上述したように、数値２２と数値２４とを互いに異なる表示色で表示させることが好ましいが、これに代えて、あるいは、これに加えて、それぞれの数値が意味する情報を付加して表示させてもよい。より具体的には、図３（Ｂ）に示されるように、数値２２とともに、数値２２が制御量ＰＶを意味することを示す「ＰＶ」との記号３２が表示部１２０に表示される。同様に、数値２４とともに、数値２４が目標値ＳＶを意味することを示す「ＳＶ」との記号３４が表示部１２０に表示される。このように、デジタル調節計１０の制御部１００（図２）は、数値２２とともに数値２２の意味を示す記号３２（第１の識別情報）を表示させ、数値２４とともに数値２４の意味を示す記号３４（第２の識別情報）を表示させる。
【００３６】
数値２２および２４が示す文字だけでは、それぞれの数値の意味を一見して把握できないので、異なる表示色、および／または、識別情報の付加によって、表示態様を異ならせることで、視認性を高めている。
【００３７】
以上のとおり、本実施の形態に係るデジタル調節計１０は、期間Ｔ１において、数値２４を非表示の状態で数値２２を第１の表示態様で表示させるとともに、期間Ｔ２において、数値２２を非表示の状態で数値２４を第２の表示態様で表示させる。これによって、筐体のコンパクト化によって表示スペースが減少したとしても、文字サイズを相対的に大きく維持できるので、オペレータに対する視認性を向上させることができる。
【００３８】
＜Ｄ．表示処理の変形例＞
上述の実施の形態においては、表示色を異ならせるとともに、記号（識別情報）を付加することによって、それぞれの数値の表示態様を異ならせる実装例について説明した。これに対して、さらに識別性を高める表示態様のいくつかの別の例について説明する。
【００３９】
（ｄ１：表示位置での区別）
図４は、本実施の形態に係るデジタル調節計１０の別の表示処理を説明するための図である。図４に示されるデジタル調節計１０では、制御量ＰＶを示す数値２２と目標値ＳＶを示す数値２４との間で、表示される位置が異なっている。より具体的には、制御量ＰＶを示す数値２２および「ＰＶ」との記号３２は、表示スペース内の相対的に左側に配置されており、目標値ＳＶを示す数値２４および「ＳＶ」との記号３４は、表示スペース内の相対的に右側に配置されている。すなわち、制御量ＰＶの情報については左寄せで表示され、目標値ＳＶの情報については右寄せで表示される。なお、どちらの数値を左寄せ／右寄せするのかについては任意に設定できる。また、位置関係のオフセット量などについても適宜調整すればよい。
【００４０】
このように、期間Ｔ１における数値２２および記号３２（第１の識別情報）の表示部１２０内での表示位置は、期間Ｔ２における数値２４および記号３４（第２の識別情報）の表示部１２０内での表示位置とは異なっている。このような表示態様を採用することで、両者の識別性をより高めることができる。
【００４１】
（ｄ２：表示の組み合わせ順での区別（その１））
図５は、本実施の形態に係るデジタル調節計１０のさらに別の表示処理を説明するための図である。図５に示されるデジタル調節計１０では、制御量ＰＶを示す数値２２と「ＰＶ」との記号３２との組み合わせが表示される順序が、目標値ＳＶを示す数値２４と「ＳＶ」との記号３４との組み合わせが表示される順序とは異なっている。すなわち、数値２２については、その左側に記号３２が配置され、数値２４については、その右側に記号３４が配置される。なお、数値と記号との位置関係については逆であってもよい。
【００４２】
このように、期間Ｔ１において表示される数値２２と記号３２（第１の識別情報）との位置関係は、期間Ｔ２において表示される数値２４と記号３４（第２の識別情報）との位置関係とは異なっている。このような表示態様を採用することで、両者の識別性をより高めることができる。
【００４３】
（ｄ３：表示の組み合わせ順での区別（その２））
図６は、本実施の形態に係るデジタル調節計１０のさらに別の表示処理を説明するための図である。図６に示されるデジタル調節計１０では、制御量ＰＶを示す数値２２と「ＰＶ」との記号３２との組み合わせが表示される上下方向の順序が、目標値ＳＶを示す数値２４と「ＳＶ」との記号３４との組み合わせが表示される上下方向の順序とは異なっている。すなわち、数値２２については、その上側に記号３２が配置され、数値２４については、その下側に記号３４が配置される。なお、数値と記号との位置関係については逆であってもよい。
【００４４】
このように、期間Ｔ１において表示される数値２２と記号３２（第１の識別情報）との位置関係は、期間Ｔ２において表示される数値２４と記号３４（第２の識別情報）との位置関係とは異なっている。このような表示態様を採用することで、両者の識別性をより高めることができる。
【００４５】
（ｄ４：より多くの情報の表示）
上述の説明では、制御対象の制御または監視に関する情報として、制御量ＰＶおよび目標値ＳＶを表示する構成を例示したが、表示する情報としては、これらに限られず、操作量ＭＶについても表示するようにしてもよいし、カスケード制御におけるマスタ側ＰＩＤ制御系およびスレーブ側ＰＩＤ制御系のそれぞれの値を順次表示するようにしてもよい。
【００４６】
（ｄ５：任意の組み合わせ）
図３〜６には、複数の表示態様について例示したが、これらの表示態様のすべてを選択可能にデジタル調節計１０上に実装してもよいし、一部のみを実装してもよい。さらに、複数の表示態様を適宜組み合わせてもよい。
【００４７】
＜Ｅ．表示周期＞
上述したように、制御対象の制御または監視に関する情報を時間的に切り換えて表示する方式において、それぞれの情報を表示する期間（すなわち、情報の切り換え周期）については、用途や状況に応じて、各種の設定が可能である。図７は、本実施の形態に係るデジタル調節計１０における情報の表示周期の一例を説明するための図である。
【００４８】
図７（Ａ）を参照して、例えば、２つの情報（制御量ＰＶおよび目標値ＳＶ）を表示する場合において、それぞれの情報を示す数値を表示する期間を同一にしてもよい。すなわち、図７（Ａ）に示す例では、制御量ＰＶおよび目標値ＳＶのいずれについても、それぞれ期間Ｔ１に亘って表示される。
【００４９】
ところで、実際の制御対象（例えば、何らかの製造プラント）の運転を想定すると、定常状態（通常時）においては、目標値ＳＶは一定値に維持されることが多い。これに対して、制御量ＰＶは、制御対象に対する操作量や外乱に応じて変動するので、目標値ＳＶに比較してより高い頻度で確認する必要性がある。そこで、図７（Ｂ）に示すように、目標値ＳＶが表示される期間Ｔ３に比較して、制御量ＰＶが表示される期間Ｔ２を長くすることが好ましい場合がある。すなわち、図７（Ｂ）に示す例では、制御量ＰＶが表示される期間Ｔ２は、目標値ＳＶが表示される期間Ｔ３に比較して長く設定されている。
【００５０】
一方で、実際の制御対象の運転時には、処理を開始するための操作として、目標値ＳＶを変更する場合がある。このような場合には、目標値ＳＶの変更に伴って操作量ＭＶが大きく変動することがあり、操作量ＭＶの異状の有無を監視しておく必要がある。そこで、例えば、目標値ＳＶが変更された直後においては、図７（Ｃ）に示すように、目標値ＳＶおよび制御量ＰＶに加えて、操作量ＭＶを表示するように表示内容を変更するとともに、それぞれの情報を表示する期間についてもより適切なものにすることが好ましい。より具体的には、制御量ＰＶが期間Ｔ４に亘って表示され、続いて、操作量ＭＶが期間Ｔ５に亘って表示され、目標値ＳＶが期間Ｔ６に亘って表示される。このとき、表示される情報量の重要性に鑑みて、期間Ｔ４および期間Ｔ５は、期間Ｔ６に比較して長く設定されている。なお、図７（Ｃ）に示す状態において、制御量ＰＶが目標値ＳＶと略一致して、安定した制御状態になった後には、図７（Ｂ）に示す状態に戻るようにしてもよい。
【００５１】
また、図７（Ｄ）および図７（Ｅ）には、制御対象から取得された制御量ＰＶが予め設定された制限値に到達した場合の表示例を示す。
【００５２】
より具体的には、図７（Ｄ）には、制御量ＰＶが予め設定された上限値を超過した場合には、一つの原因として、操作量ＭＶの値が適切に出力されていないと想定されるので、制御量ＰＶおよび操作量ＭＶを表示するように表示内容を変更してもよい。この場合には、制御量ＰＶが期間Ｔ７に亘って表示され、続いて、操作量ＭＶが期間Ｔ８に亘って表示される。期間Ｔ７と期間Ｔ８とを同じに設定してもよいが、期間Ｔ８を期間Ｔ７に比較してより長く設定してもよい。この場合、オペレータは、操作部１２２を操作して、ＰＩＤ制御に係るパラメータを調整することもある。
【００５３】
また、図７（Ｅ）には、制御量ＰＶが予め設定された上上限値を超過した場合には、一つの原因として、目標値ＳＶの値が適切に設定されていないと想定されるので、制御量ＰＶおよび目標値ＳＶを表示するように表示内容をさらに変更してもよい。この場合には、制御量ＰＶが期間Ｔ９に亘って表示され、続いて、目標値ＳＶが期間Ｔ１０に亘って表示される。期間Ｔ９と期間Ｔ１０とを同じに設定してもよいが、期間Ｔ１０を期間Ｔ９に比較してより長く設定してもよい。この場合、オペレータは、操作部１２２を操作して、目標値ＳＶを変更することもある。
【００５４】
図７（Ａ）〜（Ｅ）にいくつかの表示態様を例示したが、これらに限られず、制御対象の特性や操作上の要望などに応じて、表示内容・表示順・表示期間などについては、適宜設計すればよい。また、予め設定された任意のイベントが発生したことに応答して、表示内容・表示順・表示期間を適宜変更するようにしてもよい。
【００５５】
＜Ｆ．処理手順＞
次に、本実施の形態に係るデジタル調節計１０における処理手順について説明する。図８は、本実施の形態に係るデジタル調節計１０における処理手順を示すフローチャートである。図８に示す各ステップは、制御部１００のプロセッサ１０２がプログラムモジュール１０６を実行することで実現される（いずれも図２参照）。
【００５６】
図８を参照して、ＰＩＤ制御の開始が指示されると、制御部１００は、表示設定が指示されたか否かを判断する（ステップＳ１００）。すなわち、制御部１００は、図３〜図６に示すような、制御対象の制御または監視に関する情報の表示態様としていずれかの選択を受け付ける。表示設定が指示された場合（ステップＳ１００においてＹＥＳの場合）には、制御部１００は、選択可能な表示態様のリストを提示するとともに、提示されたリストに対する選択を受け付ける（ステップＳ１０２）。そして、制御部１００は、選択に従って表示態様を設定する（ステップＳ１０４）。
【００５７】
ステップＳ１０４の実行後、または、表示設定が指示されていない場合（ステップＳ１００においてＮＯの場合）には、通常のＰＩＤ制御が実行される。より具体的には、制御部１００は、目標値ＳＶの変更が指示されたか否かを判断する（ステップＳ１０６）。目標値ＳＶの変更が指示された場合（ステップＳ１０６においてＹＥＳの場合）には、制御部１００は、目標値ＳＶを指示された値に更新する（ステップＳ１０８）。
【００５８】
ステップＳ１０８の実行後、または、目標値ＳＶの変更が指示されていない場合（ステップＳ１０６においてＮＯの場合）には、制御部１００は、制御対象の検出部から検出信号を取得し、制御量ＰＶを算出する（ステップＳ１１０）。そして、制御部１００は、取得した制御量ＰＶと設定されている目標値ＳＶとの偏差を用いて、ＰＩＤパラメータに応じたＰＩＤ制御演算を行なって、操作量ＭＶを算出する（ステップＳ１１２）。最終的に、制御部１００は、算出した操作量ＭＶに応じた操作信号を制御対象へ出力する（ステップＳ１１４）。
【００５９】
制御部１００は、現在のタイミングに応じて、設定されている表示態様に従って、目標値ＳＶ、制御量ＰＶ、操作量ＭＶのいずれかを表示部１２０に表示させる（ステップＳ１１６）。
【００６０】
制御部１００は、ＰＩＤ制御の中止が指示されたか否かを判断する（ステップＳ１１８）。ＰＩＤ制御の中止が指示されていない場合（ステップＳ１１８においてＮＯの場合）には、ステップＳ１００以下の処理を繰返し実行する。
【００６１】
これに対して、ＰＩＤ制御の中止が指示された場合（ステップＳ１１８においてＹＥＳの場合）には、処理を終了する。
【００６２】
＜Ｇ．利点＞
本実施の形態に係る制御装置（デジタル調節計１０や警報器）では、ある期間において、制御対象の制御または監視に関する第１の情報を第１の表示態様で表示させるとともに、別の期間において、制御対象の制御または監視に関する第２の情報を第２の表示態様で表示させる。これによって、第１および第２の情報を同時に表示する場合に比較して、より大きな文字サイズで情報を表示できる。このような構成を採用することで、制御装置の筐体のコンパクト化（表示スペースの減少）と視認性の向上という二律相反する課題を解決できる。
【００６３】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１０  デジタル調節計、１００  制御部、１０２  プロセッサ、１０４  メモリ、１０６  プログラムモジュール、１１０  入力回路、１１２  アナログ・デジタル変換部（Ａ／Ｄ変換部）、１１４  デジタル・アナログ変換部（Ｄ／Ａ変換部）、１１６  出力回路、１２０  表示部、１２２  操作部、１２４  通信インターフェイス。
【図１】
2016170657.tif 000003
【図２】
2016170657.tif 000004
【図３】
2016170657.tif 000005
【図４】
2016170657.tif 000006
【図５】
2016170657.tif 000007
【図６】
2016170657.tif 000008
【図７】
2016170657.tif 000009
【図８】
2016170657.tif 000010